【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
主筋と副筋とからなる格子状の補強鉄筋マットを２枚連結させて形成したカゴ状補強鉄筋を埋設したＡＬＣパネルにおいて、
一方のパネル短辺小口面付近にある前記２枚の補強鉄筋マットのそれぞれ最端の副筋に跨って、建物躯体に直接または間接に固定される棒状支持部材を挿通する挿通域を備えた井桁状係止具がパネル短辺小口面と平行にパネル幅方向の中央位置に溶接固定されている、
および／または、
他方のパネル短辺小口面付近にある前記２枚の補強鉄筋マットのそれぞれ最端の副筋に跨って、建物躯体に直接または間接に固定され、または間接に係止される棒状支持部材を挿通する挿通域を備えた井桁状係止具がパネル短辺小口面と平行に２つ以上溶接固定されていることを特徴とするＡＬＣパネル。
【請求項２】
前記他方のパネル短辺小口面付近にある井桁状係止具は、パネル幅方向において、中央位置を挟んだ両側に１つずつ配置されている請求項１記載のＡＬＣパネル。
【請求項３】
前記請求項１または２記載のＡＬＣパネルを用いたＡＬＣパネルの取付構造であって、
前記一方のパネル短辺小口面から前記井桁状係止具の挿通域に連通するとともに該挿通域よりもさらにパネル内部に向かって奥まで穿設形成されている連通孔に、建物の下側躯体に台座を介して固定されたひとつの棒状支持部材が遊挿されることにより、ＡＬＣパネルの下端側がパネル幅方向の中央位置で支承されている、
および／または、
前記他方のパネル短辺小口面から前記井桁状係止具の挿通域に連通するとともに該挿通域よりもさらにパネル内部に向かって奥まで穿設形成されている連通孔に、建物の上側躯体に直接または台座を介して固定され、または台座を介して係止された２つ以上の棒状支持部材が遊挿されることにより、ＡＬＣパネルの上端側がパネル幅方向の２カ所以上で支承されていることを特徴とするＡＬＣパネルの取付構造。
【請求項４】
建物の上側躯体に台座を介して係止された前記各棒状支持部材は、円盤状の基部と基部から立設される棒状部とから構成され、棒状部が台座の貫通孔に挿通され、基部が台座に係止しており固定はされておらず、当該各棒状支持部材はＡＬＣパネルの面内方向あるいは壁面外方向に動くことができるようになっている請求項３記載のＡＬＣパネルの取付構造。
【手続補正２】
【補正対象書類名】明細書
【補正対象項目名】００１３
【補正方法】変更
【補正の内容】
【００１３】
上記課題を解決するために、
主筋と副筋とからなる格子状の補強鉄筋マットを２枚連結させて形成したカゴ状補強鉄筋を埋設したＡＬＣパネルにおいて、
一方のパネル短辺小口面付近にある前記２枚の補強鉄筋マットのそれぞれ最端の副筋に跨って、建物躯体に直接または間接に固定される棒状支持部材を挿通する挿通域を備えた井桁状係止具がパネル短辺小口面と平行にパネル幅方向の中央位置に溶接固定されている、
および／または、
他方のパネル短辺小口面付近にある前記２枚の補強鉄筋マットのそれぞれ最端も副筋に跨って、建物躯体に直接または間接に固定され、または間接に係止される棒状支持部材を挿通する挿通域を備えた井桁状係止具がパネル短辺小口面と平行に２つ以上溶接固定されているＡＬＣパネルを採用した。
【手続補正３】
【補正対象書類名】明細書
【補正対象項目名】００１５
【補正方法】変更
【補正の内容】
【００１５】
さらに、前記ＡＬＣパネルを用いたＡＬＣパネルの取付構造であって、
前記一方のパネル短辺小口面から前記井桁状係止具の挿通域に連通するとともに該挿通域よりもさらにパネル内部に向かって奥まで穿設形成されている連通孔に、建物の下側躯体に台座を介して固定されたひとつの棒状支持部材が遊挿されることにより、ＡＬＣパネルの下端側がパネル幅方向の中央位置で支承されている、
および／または、
前記他方のパネル短辺小口面から前記井桁状係止具の挿通域に連通するとともに該挿通域よりもさらにパネル内部に向かって奥まで穿設形成されている連通孔に、建物の上側躯体に直接または台座を介して固定され、または台座を介して係止された２つ以上の棒状支持部材が遊挿されることにより、ＡＬＣパネルの上端側がパネル幅方向の２カ所以上で支承されていることを特徴とするＡＬＣパネルの取付構造を採用した。
【手続補正４】
【補正対象書類名】明細書
【補正対象項目名】００２８
【補正方法】変更
【補正の内容】
【００２８】
上側躯体１３に固定される棒状支持部材５は円盤状の基部９から立設される棒状部とから構成されており、円盤状の基部９が上側躯体１３への固定面となり上側躯体１３にフラットバー７を介して固定されている。
また、棒状支持部材５は連通孔１１（入口側孔１１ａ，奥側孔１１ｂ）および挿通域４ｃに遊挿されている。
一方、下側躯体１２に固定される棒状支持部材５には円盤状の基部はなく、棒状部がハット型の台座６に溶接固定されている。
【手続補正５】
【補正対象書類名】明細書
【補正対象項目名】００２９
【補正方法】変更
【補正の内容】
【００２９】
ハット型の台座６は、ＡＬＣパネル１が下端短辺小口面で載置される載置部６ａと載置部６ａの幅方向両端より延設形成された一対の脚部６ｂとにより構成されている。
脚部６ｂは、載置部６ａの載置面の同一方向に直角に曲げ加工された折曲片よりなり、その先端はさらに外側に開く方向にさらに直角に曲げ加工されている。
脚部６ｂの先端は載置部６ａの載置面に平行な面を有しており、この面がフラットバー７に固定されている。
下側躯体１２に固定される棒状支持部材５は、その棒状部が載置部６ａの中央位置に溶接固定されて、ハット型の台座６と一体化されている。
そして、ＡＬＣパネル１の下端側は、パネルの幅方向中央位置がハット型の台座６に載置されていることで、それ以外の部位（パネル角部等）においてもハット型の台座６の高さと同等の隙間が確保されている。
【手続補正６】
【補正対象書類名】明細書
【補正対象項目名】００３１
【補正方法】変更
【補正の内容】
【００３１】
棒状支持部材５の棒状部の外径に比べて、井桁状係止具４の挿通域４ｃのパネル厚さ方向の長さＷおよびパネル幅方向の長さＬを、それぞれ０．５ｍｍ以上大きくしておくと好ましく、さらに、１．０ｍｍ以上３ｍｍ以下であると望ましい。
このように余裕を設けておくことで、棒状支持部材５はこの連通孔１０，１１とこれに連通する井桁状係止具４の挿通域４ｃにおいて完全には拘束されない状態となる。
これにより、図５（ｂ）に示すように、パネル短辺小口面でのパネル壁面外方向への棒状支持部材５の引抜せん断力がかかっても、ＡＬＣパネル１の内部で棒状支持部材５がパネル壁面外方向に遊動することができる。
結果的に、パネル壁面外方向への棒状支持部材の引抜せん断力がパネル短辺小口面で作用したときに、棒状支持部材５は井桁状係止具５の挿通域４ｃの内周縁（短軸片４ｂ）に当接するため、パネル壁面外方向のせん断力が井桁状係止具５（短軸片４ｂ）を介してＡＬＣパネル１の最端の副筋２ｂｂに伝達され、さらに、この副筋２ｂｂからカゴ状補強鉄筋２全体に伝達される。これにより、パネル壁面外方向への棒状支持部材の引抜せん断力に対して十分な耐力が確保されるようになる。
【手続補正７】
【補正対象書類名】明細書
【補正対象項目名】００３３
【補正方法】変更
【補正の内容】
【００３３】
図４または図５に示すように、棒状支持部材５の棒状部の外径に比べて、パネル母材の連通孔１０，１１における入口側孔１０ａ，１１ａのパネル厚さ方向および幅方向との寸法差が１０ｍｍ〜２５ｍｍ以下であると好ましい。
なお、入口側孔１０ａ，１１ａは、例えば円形に形成しても、パネル幅方向に長い長方形または楕円としても良い。
【手続補正８】
【補正対象書類名】明細書
【補正対象項目名】００３９
【補正方法】変更
【補正の内容】
【００３９】
例えば、上記実施形態では、棒状支持部材５は上側躯体１３のフラットバー７に直接固定されているが、図６や図７に示すように、フラットバー７に固定された台座６を介して間接的に上側躯体１３に固定され（図６）、または係止され（図７）ていても良い。
図６のＡＬＣパネル（上端側）の取付構造では、ハット型の台座６の載置部６ａに棒状部が溶接固定された棒状支持部材５が使用されている。
一方、図７では、棒状支持部材５の棒状部がハット型の台座６の貫通孔６ｃに挿通されて、棒状支持部材５の円盤状の基部９がハット型の台座６の載置部６ａに係止しており（固定はされていない）、その棒状支持部材５はハット型の台座６に拘束されずにＡＬＣパネル１の面内方向あるいは壁面外方向に自由に動くことができるようになっている。
これにより、パネルのロッキングがよりスムーズになり建物躯体の層間変形に対する追従性が一層向上する。
【手続補正９】
【補正対象書類名】明細書
【補正対象項目名】００４１
【補正方法】変更
【補正の内容】
【００４１】
＜ＡＬＣパネルの上端側取付構造の棒状支持部材の引抜せん断強度について＞
本発明では、ＡＬＣパネルの上端側は、２つ以上の棒状支持部材により２カ所以上で支承される。そこで、２本の棒状支持部材により２カ所で支承された取付構造の棒状支持部材の引抜せん断強度を測定した。
図８は、棒状支持部材５の引抜せん断強度試験の概略模式図である。
具体的には、ＡＬＣパネル１を試験用鉄骨架台２１上に水平に配置し、ＡＬＣパネル１の上端短辺小口面から３００ｍｍの位置でパネル壁面を挟持して、ＡＬＣパネル１を試験用鉄骨架台２１に固定した。
次いで、ＡＬＣパネル１の上端短辺小口面の２カ所に２本の棒状支持部材５を遊挿し、その２本の棒状支持部材５を連結板２２で連結し、油圧ジャッキ２３を用いて連結板２２の中央位置を上方に変位させた。
このときの最大荷重を棒状支持部材の引抜せん断強度とした。ＡＬＣパネル１の寸法は、幅：６００ｍｍ、長さ：２４９０ｍｍ、厚さ：１００ｍｍとした。